(57)【要約】【課題】無線端末に下りパケットを送信する無線基地局と、当該無線端末から上りパケットを受信する無線基地局とが異なる無線基地局になっても、フィードバック情報に応じたヘッダ圧縮を実行可能とする。【解決手段】本発明に係る無線基地局１Ｂは、無線端末２のハンドオーバ元であって無線端末２に下りパケットを送信する無線基地局１Ａと通信可能であり、無線端末２のハンドオーバ先となるとともに無線端末２から上りパケットを受信する。無線基地局１Ｂは、下りパケットに含まれる下りヘッダの復号に成功したか否かを示す端末フィードバック情報ＦＡを無線端末２から受信し、無線基地局１Ａからのメッセージに基づき無線基地局１Ｂから所定範囲内に位置する複数の無線基地局の中から無線基地局１Ａを特定し、特定された無線基地局１Ａに対し、受信した端末フィードバック情報を転送する。【選択図】図５
2009267843.tif 000002
【特許請求の範囲】
【請求項１】
無線端末のハンドオーバ元であり、前記無線端末からフィードバックされる端末フィードバック情報に応じて、下りパケットに含まれる下りヘッダを圧縮するとともに前記無線端末に前記下りパケットを送信する第１無線基地局と、
前記無線端末のハンドオーバ先であり、前記無線端末から上りパケットを受信し、前記第１無線基地局と通信可能な第２無線基地局と
を含む無線通信システムであって、
前記第２無線基地局は、
前記無線端末から前記端末フィードバック情報を受信する端末フィードバック情報受信部と、
前記第１無線基地局によって送信されるメッセージに基づき、前記第２無線基地局から所定範囲内に位置する複数の無線基地局の中から、前記第１無線基地局を特定する基地局特定部と、
前記基地局特定部によって特定された前記第１無線基地局に対し、前記端末フィードバック情報受信部が受信した前記端末フィードバック情報を転送する端末フィードバック情報転送部と
を備え、
前記端末フィードバック情報は、前記無線端末において前記下りヘッダの復号に成功したか否かを示し、
前記第１無線基地局は、前記第２無線基地局から受信した前記端末フィードバック情報に応じて、前記下りヘッダを圧縮する圧縮率を制御する無線通信システム。
【請求項２】
前記端末フィードバック情報は、前記上りパケットに含まれる請求項１に記載の無線通信システム。
【請求項３】
前記第１無線基地局は、前記第２無線基地局によって転送される前記端末フィードバック情報を受信するまでの期間において、前記端末フィードバック情報の確認を省略するとともに、前記下りヘッダを圧縮する圧縮率を維持する請求項１に記載の無線通信システム。
【請求項４】
前記上りパケットに含まれる上りヘッダは、前記無線端末によって圧縮されており、
前記第２無線基地局は、
前記無線端末から受信した前記上りパケットに含まれる前記上りヘッダを復号するとともに、前記無線端末にフィードバックされる情報であって前記上りヘッダの復号に成功したか否かを示す基地局フィードバック情報を生成する上りヘッダ復号部と、
前記基地局特定部によって特定された前記第１無線基地局に対し、前記上りヘッダ復号部によって生成された前記基地局フィードバック情報を転送する基地局フィードバック情報転送部と
をさらに備え、
前記第１無線基地局は、前記第２無線基地局から受信した前記基地局フィードバック情報を前記無線端末に送信する請求項１に記載の無線通信システム。
【請求項５】
無線端末のハンドオーバ元であり、前記無線端末に下りパケットを送信する第１無線基地局と、
前記無線端末のハンドオーバ先であり、前記無線端末によって圧縮された上りヘッダを含む上りパケットを受信し、前記第１無線基地局と通信可能な第２無線基地局と
を含む無線通信システムであって、
前記第２無線基地局は、
前記無線端末から受信した前記上りパケットに含まれる前記上りヘッダを復号するとともに、前記無線端末にフィードバックされる情報であって前記上りヘッダの復号に成功したか否かを示す基地局フィードバック情報を生成する上りヘッダ復号部と、
前記第１無線基地局によって送信されるメッセージに基づき、前記第２無線基地局から所定範囲内に位置する複数の無線基地局の中から、前記第１無線基地局を特定する基地局特定部と、
前記基地局特定部によって特定された前記第１無線基地局に対し、前記上りヘッダ復号部によって生成された前記基地局フィードバック情報を転送する基地局フィードバック情報転送部と
を備え、
前記第１無線基地局は、前記第２無線基地局から受信した前記基地局フィードバック情報を前記無線端末に送信する無線通信システム。
【請求項６】
前記第１無線基地局は、前記第２無線基地局から受信した前記基地局フィードバック情報を前記下りパケットに含めるとともに、前記基地局フィードバック情報を含む前記下りパケットを前記無線端末に送信する請求項５に記載の無線通信システム。
【請求項７】
前記第１無線基地局は、前記第２無線基地局から前記基地局フィードバック情報を受信するまでの期間において、前記基地局フィードバック情報の送信に代えて、前記基地局フィードバック情報を模擬した情報であって前記上りヘッダの復号に成功したことを示すダミーフィードバック情報を前記無線端末に送信する請求項５に記載の無線通信システム。
【請求項８】
前記基地局特定部は、
前記第２無線基地局から所定範囲内に位置する複数の無線基地局に対し、前記第１無線基地局を探索する探索メッセージを送信し、
前記探索メッセージの送信後において前記探索メッセージに対する応答メッセージを受信し、
前記応答メッセージの送信元の無線基地局を前記第１無線基地局として特定する請求項１〜７のいずれか１項に記載の無線通信システム。
【請求項９】
無線端末のハンドオーバ元であって前記無線端末に下りパケットを送信する他の無線基地局と通信可能であり、前記無線端末のハンドオーバ先となるとともに前記無線端末から上りパケットを受信する無線基地局であって、
前記下りパケットに含まれる下りヘッダの復号に成功したか否かを示す端末フィードバック情報を前記無線端末から受信する端末フィードバック情報受信部と、
前記他の無線基地局によって送信されるメッセージに基づき、前記無線基地局から所定範囲内に位置する複数の無線基地局の中から、前記他の無線基地局を特定する基地局特定部と、
前記基地局特定部によって特定された前記他の無線基地局に対し、前記端末フィードバック情報受信部が受信した前記端末フィードバック情報を転送する端末フィードバック情報転送部と
を備え、
前記端末フィードバック情報は、前記無線端末において前記下りヘッダの復号に成功したか否かを示し、かつ前記第１無線基地局において前記下りヘッダを圧縮する圧縮率の制御に用いられる無線基地局。
【請求項１０】
前記無線端末から受信した前記上りパケットに含まれる上りヘッダを復号するとともに、前記無線端末にフィードバックされる情報であって前記上りヘッダの復号に成功したか否かを示す基地局フィードバック情報を生成する上りヘッダ復号部と、
前記基地局特定部によって特定された前記他の無線基地局に対し、前記上りヘッダ復号部によって生成された前記基地局フィードバック情報を転送する基地局フィードバック情報転送部と
をさらに備える請求項９に記載の無線基地局。
【請求項１１】
無線端末のハンドオーバ元であって前記無線端末に下りパケットを送信する他の無線基地局と通信可能であり、前記無線端末のハンドオーバ先となるとともに前記無線端末から上りパケットを受信する無線基地局であって、
前記無線端末から受信した前記上りパケットに含まれる上りヘッダを復号するとともに、前記無線端末にフィードバックされる情報であって前記上りヘッダの復号に成功したか否かを示す基地局フィードバック情報を生成する上りヘッダ復号部と、
前記他の無線基地局によって送信されるメッセージに基づき、前記無線基地局から所定範囲内に位置する複数の無線基地局の中から、前記他の無線基地局を特定する基地局特定部と、
前記基地局特定部によって特定された前記他の無線基地局に対し、前記上りヘッダ復号部によって生成された前記基地局フィードバック情報を転送する基地局フィードバック情報転送部と
を備える無線基地局。
【請求項１２】
無線端末のハンドオーバ元であり、前記無線端末からフィードバックされる端末フィードバック情報に応じて、下りパケットに含まれる下りヘッダを圧縮するとともに前記無線端末に前記下りパケットを送信する第１無線基地局と、
前記無線端末のハンドオーバ先であり、前記無線端末から上りパケットを受信し、前記第１無線基地局と通信可能な第２無線基地局と
を用いた無線通信方法であって、
前記第２無線基地局が、前記第１無線基地局によって送信されるメッセージに基づき、前記第２無線基地局から所定範囲内に位置する複数の無線基地局の中から、前記第１無線基地局を特定するステップと、
前記第２無線基地局が、前記無線端末から前記端末フィードバック情報を受信するステップと、
前記第２無線基地局が、前記特定するステップにおいて特定された前記第１無線基地局に対し、前記受信するステップにおいて受信された前記端末フィードバック情報を転送するステップと、
前記第１無線基地局が、前記第２無線基地局から受信した前記端末フィードバック情報に応じて、前記下りヘッダを圧縮する圧縮率を制御するステップと
を備え、
前記端末フィードバック情報は、前記無線端末において前記下りヘッダの復号に成功したか否かを示す無線通信方法。
【請求項１３】
前記第２無線基地局が、前記無線端末から受信した前記上りパケットに含まれる上りヘッダを復号するとともに、前記無線端末にフィードバックされる情報であって前記上りヘッダの復号に成功したか否かを示す基地局フィードバック情報を生成するステップと、
前記第２無線基地局が、前記特定するステップにおいて特定された前記第１無線基地局に対し、前記生成するステップにおいて生成された前記基地局フィードバック情報を転送するステップと、
前記第１無線基地局が、前記第２無線基地局から受信した前記基地局フィードバック情報を前記無線端末に送信するステップと
をさらに備える請求項１２に記載の無線通信方法。
【請求項１４】
無線端末のハンドオーバ元であり、前記無線端末に下りパケットを送信する第１無線基地局と、
前記無線端末のハンドオーバ先であり、前記無線端末によって圧縮された上りヘッダを含む上りパケットを受信し、前記第１無線基地局と通信可能な第２無線基地局と
を用いた無線通信方法であって、
前記第２無線基地局が、前記第１無線基地局によって送信されるメッセージに基づき、前記第２無線基地局から所定範囲内に位置する複数の無線基地局の中から、前記第１無線基地局を特定するステップと、
前記第２無線基地局が、前記無線端末から受信した前記上りパケットに含まれる前記上りヘッダを復号するとともに、前記無線端末にフィードバックされる情報であって前記上りヘッダの復号に成功したか否かを示す基地局フィードバック情報を生成するステップと、
前記第２無線基地局が、前記特定するステップにおいて特定された前記第１無線基地局に対し、前記生成するステップにおいて生成された前記基地局フィードバック情報を転送するステップと、
前記第１無線基地局が、前記第２無線基地局から受信した前記基地局フィードバック情報を前記無線端末に送信するステップと
を備える無線通信方法。
【発明の詳細な説明】
【技術分野】
【０００１】
本発明は、パケットのヘッダを圧縮するヘッダ圧縮技術を用いる無線通信システム、無線基地局および無線通信方法に関する。
【背景技術】
【０００２】
一般的に、無線通信システムにおいては、無線区間における通信品質が不安定であり、有線通信と比較して、安定した通信帯域を確保することが困難である。このため、無線通信システムでは、無線区間を介して伝送されるパケットにおけるヘッダの占める割合、すなわちオーバヘッドを低減するために、ＲｏＨＣ（Robust Header Compression）などのヘッダ圧縮技術が用いられている（特許文献１参照）。
【０００３】
特許文献１に記載の無線通信システムでは、パケット交換局（ＰＤＳＮ）が下りパケットに含まれる下りヘッダを圧縮し、無線基地局が当該下りパケットを無線端末に送信する。無線端末は、下りヘッダを復号し、無線基地局を介して、下りヘッダの復号成功を示すＡＣＫまたは復号失敗を示すＮＡＣＫ（以下、端末フィードバック情報）をパケット交換局にフィードバックする。パケット交換局は、端末フィードバック情報に応じて、下りヘッダを圧縮する圧縮率を制御する。
【０００４】
一方で、無線端末は、移動中などにおいてより条件の良い無線基地局へ接続先を切り替える、いわゆるハンドオーバを行っている。このようなハンドオーバの際に、無線端末が、ハンドオーバ元の第１無線基地局から下りパケットを受信し、ハンドオーバ先の第２無線基地局に上りパケットを送信するケースがある。このようなケースが発生する無線通信システムとしては、例えば3GPP2（Third Generation Partnership Project 2）にて規格化されているＵＭＢ（Ultra Mobile Broadband）システムが挙げられる（非特許文献１参照）。
【特許文献１】特表２００７−５０２０７３号公報（段落［００６６］など）
【非特許文献１】“Overview for Ultra Mobile Broadband (UMB) Air Interface Specification（3GPP2 C.S0084-000-0）”、［ｏｎｌｉｎｅ］、［平成20年4月11日検索］、＜ＵＲＬ：http://www.3gpp2.org/Public_html/specs/C.S0084-000-0_v2.0_070904.pdf＞
【発明の開示】
【発明が解決しようとする課題】
【０００５】
ところで、上述したＵＭＢシステムでは、パケット交換局ではなく無線基地局が下りヘッダを圧縮し、無線端末が、下りヘッダを復号するとともに端末フィードバック情報を無線基地局にフィードバックすることが想定されている。また、無線端末が上りパケットに含まれる上りヘッダを圧縮し、無線基地局が、上りヘッダを復号するとともにフィードバック情報（以下、基地局フィードバック情報）を無線端末にフィードバックすることが想定されている。
【０００６】
このような構成において、無線端末に下りパケットを送信する第１無線基地局と、当該無線端末から上りパケットを受信する第２無線基地局とが異なる場合、以下のような問題が生じる。
【０００７】
具体的には、無線端末は、第１無線基地局との間に上り通信チャネルを設定していないため、端末フィードバック情報が無線端末から第１無線基地局にフィードバックされず、第１無線基地局は、端末フィードバック情報に応じて圧縮率を制御できなくなる問題があった。
【０００８】
また、無線端末は、第２無線基地局との間に下り通信チャネルを設定していないため、基地局フィードバック情報が第２無線基地局から無線端末にフィードバックされず、無線端末は、基地局フィードバック情報に応じて圧縮率を制御できなくなる問題があった。
【０００９】
特に、上述したＲｏＨＣにおいて、復号側からのフィードバック情報が得られない場合、圧縮側の動作モードが、圧縮率および信頼性の低いモード（いわゆる、単方向モード）に遷移してしまう。
【００１０】
そこで、本発明は、上述した課題を解決するためになされたものであり、無線端末のハンドオーバにより、無線端末に下りパケットを送信する無線基地局と、当該無線端末から上りパケットを受信する無線基地局とが異なる無線基地局になっても、フィードバック情報に応じたヘッダ圧縮を実行可能とする無線通信システム、無線基地局および無線通信方法を提供することを目的とする。
【課題を解決するための手段】
【００１１】
上述した課題を解決するために、本発明は以下のような側面を有している。まず、本発明の第１の側面は、無線端末（無線端末２）のハンドオーバ元であり、前記無線端末からフィードバックされる端末フィードバック情報（端末フィードバック情報ＦＡ）に応じて、下りパケットに含まれる下りヘッダを圧縮するとともに前記無線端末に前記下りパケットを送信する第１無線基地局（無線基地局１Ａ）と、前記無線端末のハンドオーバ先であり、前記無線端末から上りパケットを受信し、前記第１無線基地局と通信可能な第２無線基地局（無線基地局１Ｂ）とを含む無線通信システム（無線通信システム１０）であって、前記第２無線基地局は、前記無線端末から前記端末フィードバック情報を受信する上りフィードバック情報受信部（復号部４００Ｂ）と、前記第１無線基地局によって送信されるメッセージに基づき、前記第２無線基地局から所定範囲内に位置する複数の無線基地局の中から、前記第１無線基地局を特定する基地局特定部（基地局特定部５００）と、前記基地局特定部によって特定された前記第１無線基地局に対し、前記端末フィードバック情報受信部が受信した前記端末フィードバック情報を転送する端末フィードバック情報転送部（復号部４００Ｂ）とを備え、前記端末フィードバック情報は、前記無線端末において前記下りヘッダの復号に成功したか否かを示し、前記第１無線基地局は、前記第２無線基地局から受信した前記端末フィードバック情報に応じて、前記下りヘッダを圧縮する圧縮率を制御することを要旨とする。
【００１２】
このような無線通信システムによれば、無線端末のハンドオーバにより、無線端末に下りパケットを送信する無線基地局（第１無線基地局）と当該無線端末から上りパケットを受信する無線基地局（第２無線基地局）とが異なる無線基地局になっても、第１無線基地局は、フィードバック情報（端末フィードバック情報）に応じたヘッダ圧縮を実行することができる。
【００１３】
本発明の第２の側面は、本発明の第１の側面に係り、前記端末フィードバック情報は、前記上りパケットに含まれることを要旨とする。
【００１４】
本発明の第３の側面は、本発明の第１の側面に係り、前記第１無線基地局は、前記第２無線基地局によって転送される前記端末フィードバック情報を受信するまでの期間において、前記端末フィードバック情報の確認を省略するとともに、前記下りヘッダを圧縮する圧縮率を維持することを要旨とする。
【００１５】
本発明の第４の側面は、本発明の第１の側面に係り、前記上りパケットに含まれる上りヘッダは、前記無線端末によって圧縮されており、前記第２無線基地局は、前記無線端末から受信した前記上りパケットに含まれる前記上りヘッダを復号するとともに、前記無線端末にフィードバックされる情報であって前記上りヘッダの復号に成功したか否かを示す基地局フィードバック情報（基地局フィードバック情報ＦＢ）を生成する上りヘッダ復号部（復号部４００Ｂ）と、前記基地局特定部によって特定された前記第１無線基地局に対し、前記上りヘッダ復号部によって生成された前記基地局フィードバック情報を転送する基地局フィードバック情報転送部（復号部４００Ｂ）とをさらに備え、前記第１無線基地局は、前記第２無線基地局から受信した前記基地局フィードバック情報を前記無線端末に送信することを要旨とする。
【００１６】
本発明の第５の側面は、無線端末のハンドオーバ元であり、前記無線端末に下りパケットを送信する第１無線基地局（無線基地局１Ａ）と、前記無線端末のハンドオーバ先であり、前記無線端末によって圧縮された上りヘッダを含む上りパケットを受信し、前記第１無線基地局と通信可能な第２無線基地局（無線基地局１Ｂ）とを含む無線通信システム（無線通信システム１０）であって、前記第２無線基地局は、前記無線端末から受信した前記上りパケットに含まれる前記上りヘッダを復号するとともに、前記無線端末にフィードバックされる情報であって前記上りヘッダの復号に成功したか否かを示す基地局フィードバック情報（基地局フィードバック情報ＦＢ）を生成する上りヘッダ復号部（復号部４００Ｂ）と、前記第１無線基地局によって送信されるメッセージに基づき、前記第２無線基地局から所定範囲内に位置する複数の無線基地局の中から、前記第１無線基地局を特定する基地局特定部（基地局特定部５００）と、前記基地局特定部によって特定された前記第１無線基地局に対し、前記上りヘッダ復号部によって生成された前記基地局フィードバック情報を転送する基地局フィードバック情報転送部（復号部４００Ｂ）とを備え、前記第１無線基地局は、前記第２無線基地局から受信した前記基地局フィードバック情報を前記無線端末に送信することを要旨とする。
【００１７】
このような無線通信システムによれば、無線端末のハンドオーバにより、無線端末に下りパケットを送信する無線基地局（第１無線基地局）と当該無線端末から上りパケットを受信する無線基地局（第２無線基地局）とが異なる無線基地局になっても、無線端末は、フィードバック情報（基地局フィードバック情報）に応じたヘッダ圧縮を実行することができる。
【００１８】
本発明の第６の側面は、本発明の第５の側面に係り、前記第１無線基地局は、前記基地局フィードバック情報を前記下りパケットに含めるとともに、前記基地局フィードバック情報を含む前記下りパケットを前記無線端末に送信することを要旨とする。
【００１９】
本発明の第７の側面は、本発明の第５の側面に係り、前記第１無線基地局は、前記第２無線基地局から前記基地局フィードバック情報を受信するまでの期間において、前記基地局フィードバック情報の送信に代えて、前記基地局フィードバック情報を模擬した情報であって前記上りヘッダの復号に成功したことを示すダミーフィードバック情報を前記無線端末に送信することを要旨とする。
【００２０】
本発明の第８の側面は、本発明の第１〜第７のいずれかの側面に係り、前記基地局特定部は、前記第２無線基地局から所定範囲内に位置する複数の無線基地局に対し、前記第１無線基地局を探索する探索メッセージを送信し、前記探索メッセージの送信後において前記探索メッセージに対する応答メッセージを受信し、前記応答メッセージの送信元の無線基地局を前記第１無線基地局として特定することを要旨とする。
【００２１】
本発明の第９の側面は、無線端末（無線端末２）のハンドオーバ元であって前記無線端末に下りパケットを送信する他の無線基地局（無線基地局１Ａ）と通信可能であり、前記無線端末のハンドオーバ先となるとともに前記無線端末から上りパケットを受信する無線基地局（無線基地局１Ｂ）であって、前記下りパケットに含まれる下りヘッダの復号に成功したか否かを示す端末フィードバック情報（端末フィードバック情報ＦＡ）を前記無線端末から受信する端末フィードバック情報受信部（復号部４００Ｂ）と、前記他の無線基地局によって送信されるメッセージに基づき、前記無線基地局から所定範囲内に位置する複数の無線基地局の中から、前記他の無線基地局を特定する基地局特定部（基地局特定部５００）と、前記基地局特定部によって特定された前記他の無線基地局に対し、前記端末フィードバック情報受信部が受信した前記端末フィードバック情報を転送する端末フィードバック情報転送部（復号部４００Ｂ）とを備え、前記端末フィードバック情報は、前記無線端末において前記下りヘッダの復号に成功したか否かを示し、かつ前記第１無線基地局において前記下りヘッダを圧縮する圧縮率の制御に用いられることを要旨とする。
【００２２】
本発明の第１０の側面は、本発明の第９の側面に係り、前記無線端末から受信した前記上りパケットに含まれる上りヘッダを復号するとともに、前記無線端末にフィードバックされる情報であって前記上りヘッダの復号に成功したか否かを示す基地局フィードバック情報（基地局フィードバック情報ＦＢ）を生成する上りヘッダ復号部（復号部４００Ｂ）と、前記基地局特定部によって特定された前記他の無線基地局に対し、前記上りヘッダ復号部によって生成された前記基地局フィードバック情報を転送する基地局フィードバック情報転送部（復号部４００Ｂ）とをさらに備えることを要旨とする。
【００２３】
本発明の第１１の側面は、無線端末（無線端末２）のハンドオーバ元であって前記無線端末に下りパケットを送信する他の無線基地局（無線基地局１Ａ）と通信可能であり、前記無線端末のハンドオーバ先となるとともに前記無線端末から上りパケットを受信する無線基地局（無線基地局１Ｂ）であって、前記無線端末から受信した前記上りパケットに含まれる上りヘッダを復号するとともに、前記無線端末にフィードバックされる情報であって前記上りヘッダの復号に成功したか否かを示す基地局フィードバック情報（基地局フィードバック情報ＦＢ）を生成する上りヘッダ復号部（復号部４００Ｂ）と、前記他の無線基地局によって送信されるメッセージに基づき、前記無線基地局から所定範囲内に位置する複数の無線基地局の中から、前記他の無線基地局を特定する基地局特定部（基地局特定部５００）と、前記基地局特定部によって特定された前記他の無線基地局に対し、前記上りヘッダ復号部によって生成された前記基地局フィードバック情報を転送する基地局フィードバック情報転送部（復号部４００Ｂ）とを備えることを要旨とする。
【００２４】
本発明の第１２の側面は、無線端末のハンドオーバ元であり、前記無線端末からフィードバックされる端末フィードバック情報に応じて、下りパケットに含まれる下りヘッダを圧縮するとともに前記無線端末に前記下りパケットを送信する第１無線基地局と、前記無線端末のハンドオーバ先であり、前記無線端末から上りパケットを受信し、前記第１無線基地局と通信可能な第２無線基地局とを用いた無線通信方法であって、前記第２無線基地局が、前記第１無線基地局によって送信されるメッセージに基づき、前記第２無線基地局から所定範囲内に位置する複数の無線基地局の中から、前記第１無線基地局を特定するステップ（ステップＳ１０４）と、前記第２無線基地局が、前記無線端末から前記端末フィードバック情報を受信するステップ（ステップＳ１０７）と、前記第２無線基地局が、前記特定するステップにおいて特定された前記第１無線基地局に対し、前記受信するステップにおいて受信された前記端末フィードバック情報を転送するステップ（ステップＳ１０９）と、前記第１無線基地局が、前記第２無線基地局から受信した前記端末フィードバック情報に応じて、前記下りヘッダを圧縮する圧縮率を制御するステップ（ステップＳ２１０）とを備え、前記端末フィードバック情報は、前記無線端末において前記下りヘッダの復号に成功したか否かを示すことを要旨とする。
【００２５】
本発明の第１３の側面は、本発明の第１２の側面に係り、前記第２無線基地局が、前記無線端末から受信した前記上りパケットに含まれる上りヘッダを復号するとともに、前記無線端末にフィードバックされる情報であって前記上りヘッダの復号に成功したか否かを示す基地局フィードバック情報を生成するステップ（ステップＳ１０９）と、前記第２無線基地局が、前記特定するステップにおいて特定された前記第１無線基地局に対し、前記生成するステップにおいて生成された前記基地局フィードバック情報を転送するステップ（ステップＳ１０９）と、前記第１無線基地局が、前記第２無線基地局から受信した前記基地局フィードバック情報を前記無線端末に送信するステップ（ステップＳ２０７）とをさらに備えることを要旨とする。
【００２６】
本発明の第１４の側面は、無線端末のハンドオーバ元であり、前記無線端末に下りパケットを送信する第１無線基地局と、前記無線端末のハンドオーバ先であり、前記無線端末によって圧縮された上りヘッダを含む上りパケットを受信し、前記第１無線基地局と通信可能な第２無線基地局とを用いた無線通信方法であって、前記第２無線基地局が、前記第１無線基地局によって送信されるメッセージに基づき、前記第２無線基地局から所定範囲内に位置する複数の無線基地局の中から、前記第１無線基地局を特定するステップ（ステップＳ１０４）と、前記第２無線基地局が、前記無線端末から受信した前記上りパケットに含まれる前記上りヘッダを復号するとともに、前記無線端末にフィードバックされる情報であって前記上りヘッダの復号に成功したか否かを示す基地局フィードバック情報を生成するステップ（ステップＳ１０９）と、前記第２無線基地局が、前記特定するステップにおいて特定された前記第１無線基地局に対し、前記生成するステップにおいて生成された前記基地局フィードバック情報を転送するステップ（ステップＳ１０９）と、前記第１無線基地局が、前記第２無線基地局から受信した前記基地局フィードバック情報を前記無線端末に送信するステップ（ステップＳ２０７）とを備えることを要旨とする。
【発明の効果】
【００２７】
本発明によれば、無線端末のハンドオーバにより、無線端末に下りパケットを送信する無線基地局と、当該無線端末から上りパケットを受信する無線基地局とが異なる無線基地局になっても、フィードバック情報に応じたヘッダ圧縮を実行可能とする無線通信システム、無線基地局および無線通信方法を提供することができる。
【発明を実施するための最良の形態】
【００２８】
次に、図面を参照して、本発明の実施形態を説明する。具体的には、（１）無線通信システムの概略構成、（２）無線通信システムの詳細構成、（３）基地局探索処理、（４）無線通信システムの動作、（５）作用および効果、（６）その他の実施形態について説明する。以下の実施形態における図面の記載において、同一又は類似の部分には同一又は類似の符号を付している。
【００２９】
（１）無線通信システムの概略構成
まず、本実施形態に係る無線通信システムの概略構成について、（１．１）全体概略構成、（１．２）ＲｏＨＣ概要、（１．３）無線基地局の概略構成、（１．４）無線端末の概略構成の順に説明する。
【００３０】
（１．１）全体概略構成
図１は、本実施形態に係る無線通信システム１０の全体概略構成図である。
【００３１】
図１に示すように、無線通信システム１０は、無線基地局１Ａ（第１無線基地局）、無線基地局１Ｂ（第２無線基地局）、無線端末２、アクセスゲートウェイ３、およびネットワーク４を含む。本実施形態では、無線通信システム１０は、高速通信可能な広域ＩＰブロードバンドシステムの１つである3GPP2 UMB Air Interface（以下、単に「ＵＭＢシステム」という）に基づく構成を有する。
【００３２】
無線基地局１Ａ、無線基地局１Ｂおよびアクセスゲートウェイ３は、図示を省略するバックボーンネットワークを介して互いに有線接続されている。無線基地局１Ａおよび無線基地局１Ｂは、アクセスゲートウェイ３を介してネットワーク４と通信可能である。また、無線基地局１Ａおよび無線基地局１Ｂは、互いに有線通信（基地局間通信）することができる。
【００３３】
無線基地局１Ａおよび無線基地局１Ｂは、通信可能エリア（すなわち、セル）内に位置する無線端末２と無線通信する。無線端末２は、無線基地局１Ａおよび無線基地局１Ｂが送信する報知信号（パイロット信号）の受信品質を比較して受信品質が高い方に接続する。本実施形態では、無線端末２は、ＶｏＩＰ（Voice over Internet Protocol）を利用した音声通信を、インターネット（ネットワーク４）上のＳＩＰ（Session Initiation Protocol ）電話機と実行するものとする。
【００３４】
また、本実施形態では、無線端末２は、無線基地局１Ａのセルから無線基地局１Ｂのセルに向けて移動しており、無線基地局１Ａから無線基地局１Ｂへ接続先を切り替えるハンドオーバを実行する（図７参照）。具体的には、無線端末２は、無線基地局１Ａとの間の上り通信チャネルを切断し、無線基地局１Ｂとの間に上り通信チャネル１１Ｂを設定する。一方、無線端末２は、無線基地局１Ａとの間の下り通信チャネル１１Ａは切断せずに維持している。
【００３５】
無線基地局１Ａは、アクセスゲートウェイ３との間にＩＰトンネル１２Ａを設定している。ＵＭＢシステムにおいては、無線基地局１Ａのようにアクセスゲートウェイ３との間にＩＰトンネル１２Ａを設定する無線基地局をＤＡＰ(Data Attachment Point)と称し、無線基地局１Ａのように無線端末２との間に下り通信チャネル１１Ａを設定する無線基地局をＦＬＳＥ(Forward Link Serving eBS)と称し、無線基地局１Ｂのように無線端末２との間に上り通信チャネル１１Ｂを設定する無線基地局をＲＬＳＥ(Reverse Link Serving eBS)と称している。
【００３６】
ＵＭＢシステムのオプション機能として、上り方向通信（リバースリンク）において、ＤＡＰを経由せずに、アクセスゲートウェイ３との間にＩＰトンネル１２Ｂを設定することも可能である。このような方式は、ＵＭＢシステムではRL only Bindingと呼ばれる。以下の実施形態では、RL only Bindingが実行され、無線基地局１ＡがＤＡＰかつＦＬＳＥであり、無線基地局１ＢがＲＬＳＥである場合について説明する。
【００３７】
下り方向通信において、無線基地局１Ａは、ヘッダ圧縮技術を用いてヘッダを圧縮し、下り通信チャネル１１Ａを介して、ヘッダが圧縮された下りパケットを無線端末２に送信する。無線端末２は、無線基地局１Ａから下りパケットを受信し、下りパケットに含まれるヘッダ（以下、適宜「下りヘッダ」と称する）を復号する。
【００３８】
また、上り方向通信において、無線端末２は、ヘッダ圧縮技術を用いてヘッダを圧縮し、上り通信チャネル１１Ｂを介して、ヘッダが圧縮された上りパケットを無線基地局１Ｂに送信する。無線基地局１Ｂは、無線端末２から上りパケットを受信し、上りパケットに含まれるヘッダ（以下、適宜「上りヘッダ」と称する）を復号する。
【００３９】
なお、ＵＭＢシステムでは、IETF RFC3931 Layer Two Tunneling Protocol-Version 3 (L2TPv3)、IETF RFC2784 Generic Routing Encapsulation (GRE)に代表されるようなＩＰトンネリング技術が採用される。具体的には、無線基地局１Ａとアクセスゲートウェイ３間のユーザデータベアラにはＧＲＥが採用され、無線基地局１Ａと無線基地局１Ｂ間のユーザデータベアラにはL2TPv3が採用される。
【００４０】
（１．２）ＲｏＨＣ概要
本実施形態に係る無線通信システム１０においては、音声通信などのリアルタイム性の高いアプリケーションを実現可能とするために、ヘッダ圧縮技術、具体的には、ＲｏＨＣ（RFC3095）が採用されている。以下では、ＲｏＨＣについて、本発明に関連する事項を簡単に説明する。
【００４１】
ＲｏＨＣでは、連続するパケット間におけるＲＴＰ／ＵＤＰ／ＩＰヘッダの整合性に着目し、圧縮側は、既に送信した情報で不変な情報、類推可能な情報、計算により求まる情報の送信を省略し、類推可能な情報を類推する為の情報と、類推不可能でかつ毎回変わる情報とを送信する。復号側では、省略された情報を補完するためのコンテキスト情報を保持し、当該コンテキスト情報を用いてヘッダを復号する。
【００４２】
図２は、ＲｏＨＣの動作モードおよび圧縮状態を説明するための概念図である。
【００４３】
図２に示すように、ＲｏＨＣでは、３つの動作モードが用意されている。具体的には、単方向モード（以下、「Ｕモード」と称する）と、双方向楽観モード（以下、「Ｏモード」と称する）と、双方向高信頼モード（以下、「Ｒモード」と称する）が用意されている。
【００４４】
Ｕモード、ＯモードおよびＲモードのそれぞれにおいては、３つの圧縮状態が規定されている。具体的には、初期化・リフレッシュ状態（以下、「ＩＲ状態」と称する）、初期化・リフレッシュ状態（以下、「ＩＲ状態」と称する）、一次圧縮状態（以下、「ＦＯ状態」と称する）、二次圧縮状態（以下、「ＳＯ状態」と称する）が規定されている。
【００４５】
ＩＲ状態は、初期状態であり、圧縮側ではエラー後の回復時にＩＲ状態に遷移する。ＩＲ状態においては、ヘッダは圧縮されず、完全なヘッダを含むパケット（いわゆる、ＩＲパケット）が送信される。ＦＯ状態は、ヘッダが一部圧縮されている状態であり、ＳＯ状態よりも圧縮率の低い状態である。ＳＯ状態は、圧縮率が最も高い状態である。ＳＯ状態では、ＲＴＰシーケンスナンバーのみが送信される。
【００４６】
Ｕモードは、圧縮側において復号側からのフィードバック情報が得られない場合に適用され、一定数量のパケットを送信後に自動的に高圧縮状態（ＦＯ状態、ＳＯ状態）に遷移する。また、Ｕモードでは、圧縮側は、高圧縮状態中に一定数のパケットを送信後、自動的にＩＲ状態に遷移し、ＩＲパケットを送信する。つまり、一定期間ごとにＩＲパケットが送付される。
【００４７】
Ｏモードは、圧縮側において復号側からのフィードバック情報が得られる場合に適用され、エラー（ＮＡＣＫ）など重要事項のみフィードバックを行う動作モードである。Ｒモードは、圧縮側において復号側からのフィードバック情報が得られる場合に適用され、積極的にフィードバック(Context Update Ackなど)を行い、高信頼化を図る動作モードである。
【００４８】
このように、フィードバック情報と圧縮側とは深い相関関係にあり、ＯモードおよびＲモードにおいて、圧縮側は、復号成功を示すフィードバック情報（ＡＣＫ）を受信すると、より圧縮率の高い圧縮状態へ遷移可能となる。一方、圧縮側は、復号失敗（エラー）を示すフィードバック情報（ＮＡＣＫ、Ｓｔａｔｉｃ  ＮＡＣＫ）の受信により、圧縮率の低い状態へ遷移する。
【００４９】
本実施形態では、上記のフィードバック情報を復号側から圧縮側に伝達する方法として、ピギーバックを採用する。すなわち、復号側は、フィードバック情報専用のパケットまたはチャネルを使用せずに、他の用途のパケットまたはチャネルと兼用してフィードバック情報を圧縮側に伝達する。
【００５０】
図１に示すような状況下では、無線端末２は、下りヘッダの復号に成功したか否かを示すフィードバック情報（以下、端末フィードバック情報）を無線基地局１Ｂに伝達することができるが、下りヘッダの圧縮側である無線基地局１Ａには端末フィードバック情報を伝達することができない。また、無線基地局１Ｂは、上りヘッダの復号に成功したか否かを示すフィードバック情報（以下、基地局フィードバック情報）を無線端末２に伝達することができない。
【００５１】
端末フィードバック情報が得られないと、無線基地局１Ａは、Ｕモードとして振舞い、定期的な初期化を繰り返す。同様に、基地局フィードバック情報が得られないと、無線端末２は、Ｕモードとして振舞い、定期的な初期化を繰り返す。このような挙動は、定期的に大きなパケットサイズであるＩＲパケットの送信によるオーバヘッドの増加を意味する。オーバヘッドが増加すると、ハンドオーバ発生時という狭帯域かつ不安定な通信環境では、音切れや遅延などの音声品質劣化を引き起こす。
【００５２】
そこで、本実施形態では、基地局フィードバック情報および端末フィードバック情報を無線基地局１Ｂから無線基地局１Ａへ伝達可能とし、音声品質劣化の劣化を回避する。
【００５３】
（１．３）無線基地局の概略構成
図３は、無線基地局１Ａの概略構成を示す概略構成図である。無線基地局１Ｂの概略構成は無線基地局１Ａと同様であるため、無線基地局１Ｂの概略構成についての説明は省略する。
【００５４】
図２に示すように、無線基地局１Ａは、ＲＦ部１１０、制御部１２０、Ｉ／Ｆ部１３０、および記憶部１４０を含む。
【００５５】
ＲＦ部１１０は、ＬＮＡ、パワーアンプ、アップコンバータおよびダウンコンバータなどを含み、無線信号の送受信を行う。Ｉ／Ｆ部１３０は、バックボーンネットワークを介して無線基地局１Ｂおよびアクセスゲートウェイ３に有線接続される。
【００５６】
制御部１２０は、例えばＣＰＵによって構成され、無線基地局１Ａが具備する各種機能を制御する。また、制御部１２０は、ＲｏＨＣに従った圧縮・復号処理を実行する。
【００５７】
記憶部１４０は、例えばメモリによって構成され、無線基地局１Ａにおける制御などに用いられる各種情報を記憶する。また、記憶部１４０は、上述したコンテキスト情報を記憶する。
【００５８】
（１．４）無線端末の概略構成
図３は、無線端末２の概略構成を示す概略構成図である。
【００５９】
図３に示すように、無線端末２は、ＲＦ部２１０、制御部２２０、記憶部２３０、表示部２４０、操作部２５０、マイク２６０、スピーカ２７０、音声コーデック部２８０を含む。
【００６０】
ＲＦ部２１０は、ＬＮＡ、パワーアンプ、アップコンバータおよびダウンコンバータなどを含み、無線信号の送受信を行う。
【００６１】
制御部２２０は、例えばＣＰＵによって構成され、無線端末２が具備する各種機能を制御する。また、制御部２２０は、ＲｏＨＣに従った圧縮・復号処理を実行する。
【００６２】
記憶部２３０は、例えばメモリによって構成され、無線端末２における制御などに用いられる各種情報を記憶する。また、記憶部２３０は、上述したコンテキスト情報を記憶する。
【００６３】
表示部２４０は、制御部２２０を介して受信した画像を表示したり、操作内容（入力電話番号やアドレスなど）を表示したりする。操作部２５０は、テンキーやファンクションキーなどによって構成され、ユーザの操作内容を入力するために用いられるインタフェースである。
【００６４】
マイク２６０は、音声を集音し、集音された音声に基づく音声データを音声コーデック部２８０経由で制御部２２０に入力する。スピーカ２７０は、音声コーデック部２８０を介して制御部２２０から取得した音声データに基づいて音声を出力する。
【００６５】
音声コーデック部２８０は、例えば音声コーデック方式Ｇ．７２９に従って構成される。Ｇ．７２９は、アナログ電話帯域（３．４ｋＨｚ≒４ｋＨｚ）の信号を８ｋＨｚでサンプリング（標本化）し、８ｋｂｐｓの伝送速度を実現する方式であり、狭帯域の伝送路を使用した通信において適応力がある。このような通信方式は、データサイズの少ないパケットを短いインターバルで送信する特質を持つ。
【００６６】
（２）無線通信システムの詳細構成
次に、無線通信システム１０の詳細構成、具体的には、無線基地局１Ａ、無線基地局１Ｂおよび無線端末２の詳細構成について説明する。図５は、無線基地局１Ａ、無線基地局１Ｂおよび無線端末２の機能ブロック構成図である。
【００６７】
図５に示すように、無線基地局１Ａは、ＲｏＨＣに従ったヘッダ圧縮処理を実行する圧縮部３００Ａを含む。無線端末２は、ＲｏＨＣに従ったヘッダ復号処理を実行する復号部４００Ａと、ＲｏＨＣに従ったヘッダ圧縮処理を実行する圧縮部３００Ｂとを含む。無線基地局１Ｂは、ＲｏＨＣに従ったヘッダ復号処理を実行する復号部４００Ｂと、複数の隣接基地局の中から無線基地局１Ａを特定する基地局特定部５００とを含む。なお、隣接基地局に関する情報は、基地局設置時にプレコンフィグレーションするネイバーリストや、ネイバーディスカバリーによって設定される。
【００６８】
なお、図５において、記号“ＵＩ”は、パケット入力を表し、記号“ＤＯ”は、パケット出力を表す。また、記号“ＣＩ”は、圧縮パケット入力を表し、記号“ＣＯ”は、圧縮パケット出力を表す。記号“ＦＩ”は、フィードバック入力を表し、記号“ＦＯ”は、フィードバック出力を表す。また、記号“ＰＩ”は、ピギーバック入力を表し、記号“ＰＯ”は、ピギーバック出力を表す。
【００６９】
以下においては、各機能ブロックの詳細について、（２．１）下り方向通信におけるヘッダ圧縮処理、（２．２）上り方向通信におけるヘッダ圧縮処理の順に説明する。
【００７０】
（２．１）下り方向通信におけるヘッダ圧縮処理
下り方向通信において、無線基地局１Ａの圧縮部３００Ａは、パケット入力ＵＩに入力される下りパケットに含まれる下りヘッダを圧縮し、圧縮パケット出力ＣＯから、下り通信チャネル１１Ａを介して、圧縮された下りヘッダを含む下りパケットを無線端末２に送信する。
【００７１】
無線端末２が受信した下りパケットは、復号部４００Ａの圧縮パケット入力ＣＩに入力される。復号部４００Ａは、下りパケットに含まれる下りヘッダを復号し、下りヘッダが復号された下りパケットをパケット出力ＤＯから出力する。また、復号部４００Ａは、下りヘッダの復号に成功したか否かを示す端末フィードバック情報ＦＡを生成し、生成した端末フィードバック情報ＦＡをフィードバック出力ＦＯから出力する。出力された端末フィードバック情報ＦＡは、圧縮部３００Ｂのピギーバック入力ＰＩに入力される。
【００７２】
無線端末２の圧縮部３００Ｂは、端末フィードバック情報ＦＡを上りパケットに含め、上り通信チャネル１１Ｂを介して、端末フィードバック情報ＦＡを含む上りパケットを無線基地局１Ｂに送信する。
【００７３】
無線基地局１Ｂが受信した上りパケットは、復号部４００Ｂの圧縮パケット入力ＣＩに入力される。すなわち、無線基地局１Ｂの復号部４００Ｂは、無線端末２から端末フィードバック情報ＦＡを受信する端末フィードバック情報受信部として機能する。具体的には、復号部４００Ｂは、上りパケットに含まれる端末フィードバック情報ＦＡを取得する。
【００７４】
また、無線端末２が無線基地局１Ａから無線基地局１Ｂへのハンドオーバを実行すると、無線基地局１Ｂの基地局特定部５００は、複数の隣接基地局の中から無線基地局１Ａを特定する。
【００７５】
また、復号部４００Ｂは、基地局間通信を利用して、基地局特定部５００によって特定された無線基地局１Ａの圧縮部３００Ａに対し、ピギーバック出力ＰＯから端末フィードバック情報ＦＡを転送する。すなわち、復号部４００Ｂは、端末フィードバック情報ＦＡを転送する端末フィードバック情報転送部を構成する。
【００７６】
転送された端末フィードバック情報ＦＡは、圧縮部３００Ａのフィードバック入力ＦＩに入力される。圧縮部３００Ａは、フィードバック入力ＦＩに入力される端末フィードバック情報ＦＡに応じて、上述したＯモードまたはＲモードでヘッダ圧縮を実行する。具体的には、圧縮部３００Ａは、ＯモードまたはＲモードで、パケット入力ＵＩに入力される下りパケットに含まれる下りヘッダを圧縮する。
【００７７】
ただし、無線端末２が無線基地局１Ａから無線基地局１Ｂへのハンドオーバを実行してから、端末フィードバック情報ＦＡが転送されるまでは、圧縮部３００Ａは端末フィードバック情報ＦＡを得ることができない。
【００７８】
このため、圧縮部３００Ａは、無線端末２のハンドオーバ実行時から、無線基地局１Ｂによって転送される端末フィードバック情報ＦＡを受信するまでの期間において、端末フィードバック情報ＦＡの確認を省略するとともに、圧縮状態を維持する。
【００７９】
（２．２）上り方向通信におけるヘッダ圧縮処理
次に、図６を用いて、上り方向通信におけるヘッダ圧縮処理について説明する。
【００８０】
上り方向通信において、無線端末２の圧縮部３００Ｂは、パケット入力ＵＩに入力される上りパケットに含まれる上りヘッダを圧縮し、圧縮パケット出力ＣＯから、上り通信チャネル１１Ｂを介して、圧縮された上りヘッダを含む上りパケットを無線基地局１Ｂに送信する。
【００８１】
無線基地局１Ｂが受信した上りパケットは、復号部４００Ｂの圧縮パケット入力ＣＩに入力される。復号部４００Ｂは、上りパケットに含まれる上りヘッダを復号し、上りヘッダの復号に成功したか否かを示す基地局フィードバック情報ＦＢを生成し、生成した基地局フィードバック情報ＦＢをフィードバック出力ＦＯから出力する。すなわち、復号部４００Ｂは、上りヘッダを復号する上りヘッダ復号部を構成する。
【００８２】
復号部４００Ｂは、基地局特定部５００によって特定された無線基地局１Ａに対し、フィードバック出力ＦＯから、基地局間通信を利用して基地局フィードバック情報ＦＢを転送する。ここで、復号部４００Ｂは、基地局フィードバック情報ＦＢを転送する基地局フィードバック情報転送部を構成する。
【００８３】
転送された端末フィードバック情報ＦＡは、圧縮部３００Ａのピギーバック入力ＰＩに入力される。圧縮部３００Ａは、復号部４００Ｂから受信した基地局フィードバック情報ＦＢを無線端末２に送信する。具体的には、圧縮部３００Ａは、復号部４００Ｂから受信した基地局フィードバック情報ＦＢを下りパケットに含めるとともに、基地局フィードバック情報ＦＢを含む下りパケットを無線端末２に送信する。
【００８４】
無線端末２が受信した下りパケットは、復号部４００Ａの圧縮パケット入力ＣＩに入力される。復号部４００Ａは、下りパケットに含まれる基地局フィードバック情報ＦＢを取得する。復号部４００Ａは、取得した基地局フィードバック情報ＦＢをピギーバック出力ＰＯから圧縮部３００Ｂのフィードバック入力ＦＩに入力する。
【００８５】
圧縮部３００Ｂは、フィードバック入力ＦＩに入力される基地局フィードバック情報ＦＢに応じて、上述したＯモードまたはＲモードで、パケット入力ＵＩに入力される上りパケットに含まれる上りヘッダを圧縮する。
【００８６】
ただし、無線端末２のハンドオーバ実行時から、無線端末２が無線基地局１Ｂから無線基地局１Ａを介して基地局フィードバック情報ＦＢを受信するまでは、圧縮部３００Ｂは、基地局フィードバック情報ＦＢを得ることができない。
【００８７】
このため、無線基地局１Ａの圧縮部３００Ａは、無線端末２のハンドオーバ実行時から、無線基地局１Ｂから転送される基地局フィードバック情報ＦＢを受信するまでの期間において、基地局フィードバック情報ＦＢに代えてダミーフィードバック情報を無線端末２に送信する。ダミーフィードバック情報は、基地局フィードバック情報ＦＢを模擬した情報であり、上りヘッダの復号に成功したこと（ＡＣＫ）を示している。
【００８８】
（３）基地局探索処理
次に、図７を用いて、無線基地局１Ｂの基地局特定部５００によって実行される無線基地局１Ａの探索処理について説明する。
【００８９】
上述したように、基地局特定部５００は、無線端末２が無線基地局１Ｂへのハンドオーバを実行した際に、複数の隣接基地局の中からハンドオーバ元の無線基地局１Ａを特定する。
【００９０】
ＲｏＨＣを使用して音声通信を行っている無線端末２が移動している場合、上り方向および下り方向共に約８０ｍｓに１回は通信するというリアルタイム通信の特性から、よほど高速移動していない限り、ハンドオーバ元の無線基地局１Ａは、ハンドオーバ先の無線基地局１Ｂに隣接している可能性が高い。
【００９１】
このため、基地局特定部５００は、無線端末２が無線基地局１Ｂへのハンドオーバを実行し、無線端末２からコンテキスト情報を取得する際に、隣接する全ての無線基地局１Ａおよび１Ｃ〜１Ｇに対し、探索（トラッキング）メッセージを送信する。当該探索メッセージには、無線端末２を識別する端末ＩＤ、または無線端末２が確立中の通信セッションを識別するセッションＩＤが含まれている。
【００９２】
無線基地局１Ａおよび１Ｃ〜１Ｇは、探索メッセージを受信すると、上記ＩＤに基づき、無線端末２と下り方向通信を実行しているか否かを判定し、無線端末２と下り方向通信を実行している場合に、自局の基地局ＩＤを含む応答メッセージを無線基地局１Ｂに送信する。
【００９３】
基地局特定部５００は、応答メッセージを受信すると、当該応答メッセージに含まれる基地局ＩＤに基づき、応答メッセージの送信元（本実施形態では、無線基地局１Ａ）を特定する。
【００９４】
（４）無線通信システムの動作
次に、無線通信システム１０の動作について、（４．１）ハンドオーバ先基地局の動作、（４．２）ハンドオーバ元基地局の動作の順位に説明する。
【００９５】
（４．１）ハンドオーバ先基地局の動作
図８は、ハンドオーバ先基地局（無線基地局１Ｂ）の動作を示すフローチャートである。まず、ステップＳ１０１において、無線端末２が無線基地局１Ａから無線基地局１Ｂへのハンドオーバを実行する。
【００９６】
ステップＳ１０２において、無線基地局１Ｂは、RL only Bindingを実行しているか否かを判定する。RL only Bindingを実行している場合、処理がステップＳ１０３に進む。
【００９７】
ステップＳ１０３において、無線基地局１Ｂは、上り方向通信において、ＲｏＨＣを用いる通信セッションを無線端末２との間に確立しているか否かを判定する。
【００９８】
ステップＳ１０４において、無線基地局１Ｂの基地局特定部５００は、無線基地局１Ａを探索する探索メッセージを全ての隣接基地局に送信する。
【００９９】
ステップＳ１０５において、無線基地局１Ｂの基地局特定部５００は、探索メッセージに対する応答メッセージを受信する、あるいは、探索メッセージの送信から一定時間が経過（タイムアウト）する。
【０１００】
ステップＳ１０６において、無線基地局１Ｂの基地局特定部５００は、無線基地局１Ａから応答メッセージを受信したか否かを判定する。無線基地局１Ａから応答メッセージを受信した場合、処理がステップＳ１０７に進む。
【０１０１】
ステップＳ１０７において、無線基地局１Ｂは、上りパケットを無線端末２から受信する。
【０１０２】
ステップＳ１０８において、無線基地局１Ｂは、ステップＳ１０７で受信した上りパケットがＲｏＨＣに従ってヘッダ圧縮されているか否かを判定する。受信した上りパケットがＲｏＨＣに従ってヘッダ圧縮されている場合、処理がステップＳ１０９に進む。
【０１０３】
ステップＳ１０９において、無線基地局１Ｂの復号部４００Ｂは、ステップＳ１０７で受信した上りパケットに含まれる上りヘッダを復号するとともに、無線端末２にフィードバックされる基地局フィードバック情報ＦＢを生成する。また、復号部４００Ｂは、当該上りパケットに含まれる端末フィードバック情報ＦＡを取得する。そして、復号部４００Ｂは、生成した基地局フィードバック情報ＦＢと、取得した端末フィードバック情報ＦＡとを、基地局特定部５００によって特定された無線基地局１Ａに転送する。
【０１０４】
（４．２）ハンドオーバ元基地局の動作
図９は、ハンドオーバ元基地局（無線基地局１Ａ）の動作を示すフローチャートである。まず、ステップＳ２０１において、無線端末２が無線基地局１Ａから無線基地局１Ｂへのハンドオーバを実行する。
【０１０５】
ステップＳ２０２において、無線基地局１Ａは、他の無線基地局がＲＬＳＥであるか否か、すなわち、自局から他の無線基地局へＲＬＳＥが移動したか否かを判定する。
【０１０６】
ステップＳ２０３において、無線基地局１Ａは、下り方向通信において、ＲｏＨＣを用いる通信セッションを無線端末２との間に確立しているか否かを判定する。
【０１０７】
ステップＳ２０４において、無線基地局１Ａは、ＩＰトンネル１２Ａを介して、アクセスゲートウェイ３からパケット（音声パケット）を受信する。
【０１０８】
ステップＳ２０５において、無線基地局１Ａの圧縮部３００Ａは、ステップＳ２０４で受信したパケットに対し、ＲｏＨＣに従った圧縮処理を施す。
【０１０９】
ステップＳ２０６において、無線基地局１Ａの圧縮部３００Ａは、無線基地局１Ｂの復号部４００Ｂから基地局フィードバック情報ＦＢを受信済みであるか否かを判定する。復号部４００Ｂから基地局フィードバック情報ＦＢを受信済みである場合には処理がステップＳ２０７に進み、復号部４００Ｂから基地局フィードバック情報ＦＢを未受信である場合には処理がステップＳ２０８に進む。
【０１１０】
ステップＳ２０７において、無線基地局１Ａの圧縮部３００Ａは、ＲｏＨＣに従った圧縮処理後の下りパケットに対し、無線基地局１Ｂの復号部４００Ｂから受信した基地局フィードバック情報ＦＢを含め、基地局フィードバック情報ＦＢを含む下りパケットを無線端末２に送信する。
【０１１１】
ステップＳ２０８において、無線基地局１Ａの圧縮部３００Ａは、ＲｏＨＣに従った圧縮処理後の下りパケットに対し、ダミーフィードバック情報（ＡＣＫ）を含め、ダミーフィードバック情報を含む下りパケットを無線端末２に送信する。
【０１１２】
ステップＳ２０９において、無線基地局１Ａの圧縮部３００Ａは、無線基地局１Ｂの復号部４００Ｂから端末フィードバック情報ＦＡを受信済みであるか否かを判定する。復号部４００Ｂから端末フィードバック情報ＦＡを受信済みである場合には処理がステップＳ２１０に進み、復号部４００Ｂから端末フィードバック情報ＦＡを未受信である場合には処理がステップＳ２１１に進む。
【０１１３】
ステップＳ２１０において、無線基地局１Ａの圧縮部３００Ａは、無線基地局１Ｂの復号部４００Ｂから受信した端末フィードバック情報ＦＡに応じて圧縮状態（圧縮率）を制御する。具体的には、無線基地局１Ａの圧縮部３００Ａは、端末フィードバック情報ＦＡがＡＣＫを示す場合に高圧縮率の状態に遷移する。
【０１１４】
ステップＳ２１１において、無線基地局１Ａの圧縮部３００Ａは、圧縮状態（圧縮率）の制御をスキップし、圧縮状態（圧縮率）を維持する。
【０１１５】
（５）作用および効果
本実施形態によれば、無線基地局１Ｂの基地局特定部５００は、無線基地局１Ａによって送信される応答メッセージに基づき、無線基地局１Ｂから所定範囲内に位置する複数の無線基地局の中から、無線基地局１Ａを特定する。無線基地局１Ｂの復号部４００Ｂは、無線端末２から端末フィードバック情報ＦＡを受信し、受信した端末フィードバック情報ＦＡを、基地局特定部５００によって特定された無線基地局１Ａに転送する。
【０１１６】
したがって、無線端末２のハンドオーバにより、無線端末２に下りパケットを送信する無線基地局１Ａと、無線端末２から上りパケットを受信する無線基地局１Ｂとが異なっても、無線基地局１Ａは、端末フィードバック情報ＦＡに応じた圧縮率の制御を実行することができる。具体的には、無線基地局１Ａの圧縮部３００Ａは、動作モードがＵモードに遷移することなく、ＯモードまたはＲモードでヘッダ圧縮を実行可能となる。
【０１１７】
本実施形態によれば、端末フィードバック情報ＦＡは、上りパケットに含まれる。このため、端末フィードバック情報ＦＡ専用のパケットやチャネルを用いる場合と比較して、通信効率を向上させることができるとともに、無線リソースを節約することができる。
【０１１８】
本実施形態によれば、無線基地局１Ａは、無線基地局１Ｂによって転送される端末フィードバック情報ＦＡを受信するまでの期間において、端末フィードバック情報ＦＡの確認を省略するとともに、下りヘッダを圧縮する圧縮率を維持する。
【０１１９】
つまり、無線基地局１Ｂの圧縮部３００Ａは、無線端末２のハンドオーバ実行時から端末フィードバック情報ＦＡを受信するまでの期間において、動作モードがＵモードに遷移することなく、ＯモードまたはＲモードでヘッダ圧縮を実行可能となるとともに、圧縮状態がＩＲ状態に落ち込むことを防止することができる。
【０１２０】
本実施形態によれば、無線基地局１Ｂの復号部４００Ｂは、無線端末２から受信した上りパケットに含まれる上りヘッダを復号するとともに、基地局フィードバック情報ＦＢを生成する。そして、復号部４００Ｂは、基地局特定部５００によって特定された無線基地局１Ａに対し、基地局フィードバック情報ＦＢを転送する。無線基地局１Ａは、無線基地局１Ｂから受信した基地局フィードバック情報ＦＢを無線端末２に送信する。
【０１２１】
したがって、無線端末２のハンドオーバにより、無線端末２に下りパケットを送信する無線基地局１Ａと、無線端末２から上りパケットを受信する無線基地局１Ｂとが異なっても、無線端末２は、基地局フィードバック情報ＦＢに応じた圧縮率の制御を実行することができる。具体的には、無線端末２の圧縮部３００Ｂは、動作モードがＵモードに遷移することなく、ＯモードまたはＲモードでヘッダ圧縮を実行可能となる。
【０１２２】
本実施形態によれば、無線基地局１Ａは、無線基地局１Ｂから受信した基地局フィードバック情報ＦＢを下りパケットに含めるとともに、基地局フィードバック情報ＦＢを含む下りパケットを無線端末２に送信する。このため、基地局フィードバック情報ＦＢ専用のパケットやチャネルを用いる場合と比較して、通信効率を向上させることができるとともに、無線リソースを節約することができる。
【０１２３】
本実施形態によれば、無線基地局１Ａは、無線基地局１Ｂから基地局フィードバック情報ＦＢを受信するまでの期間において、基地局フィードバック情報ＦＢの送信に代えて、基地局フィードバック情報ＦＢを模擬した情報であって上りヘッダの復号に成功したことを示すダミーフィードバック情報を無線端末２に送信する。
【０１２４】
これにより、無線端末２の圧縮部３００Ｂは、動作モードがＵモードに遷移することなく、ＯモードまたはＲモードでヘッダ圧縮を実行可能となるとともに、圧縮状態がＩＲ状態に落ち込むことを防止することができる。
【０１２５】
本実施形態によれば、無線基地局１Ｂの基地局特定部５００は、全ての隣接基地局に対し、無線基地局１Ａを探索する探索メッセージを送信し、探索メッセージの送信後において探索メッセージに対する応答メッセージを受信し、応答メッセージの送信元の無線基地局を無線基地局１Ａとして特定する。
【０１２６】
したがって、無線端末２のハンドオーバにより、無線端末２に下りパケットを送信する無線基地局１Ａと、無線端末２から上りパケットを受信する無線基地局１Ｂとが異なっても、無線基地局１Ｂは、無線基地局１Ａを特定可能となる。
【０１２７】
（６）その他の実施形態
上記のように、本発明は実施形態によって記載したが、この開示の一部をなす論述および図面はこの発明を限定するものであると理解すべきではない。この開示から当業者には様々な代替実施形態、実施例および運用技術が明らかとなる。
【０１２８】
上述した実施形態では、上り方向通信および下り方向通信の双方においてＲｏＨＣによるヘッダ圧縮が実行されていた。しかしながら、上り方向通信および下り方向通信のいずれか一方のみにおいてＲｏＨＣによるヘッダ圧縮が実行されてもよい。
【０１２９】
上述した実施形態では、無線基地局１Ｂは、隣接基地局の全てに探索メッセージを送信していた。しかしながら、無線基地局１Ｂは、隣接基地局に限らず、無線基地局１Ｂが形成するセル内にセルを形成する無線基地局や、次隣接基地局に対しても、探索メッセージを送信してよい。
【０１３０】
さらに、無線基地局１Ｂの基地局特定部５００は、探索メッセージの送信以外の方法で無線基地局１Ａを特定してもよい。例えば、無線端末２のハンドオーバ時に、無線基地局１Ａが、その旨のメッセージを無線基地局１Ａの隣接基地局などに送信（報知）することによって、無線基地局１Ｂにおいて無線基地局１Ａを特定可能である。
【０１３１】
上述した実施形態では、ＲｏＨＣによるヘッダ圧縮が実施される場合について説明したが、フィードバック情報を必要とするヘッダ圧縮技術であれば、本発明を適用可能である。
【０１３２】
また、上述した実施形態では、ＵＭＢシステムに基づく構成について説明したが、ＵＭＢシステムに限らず、無線端末に下りパケットを送信する無線基地局と、当該無線端末から上りパケットを受信する無線基地局とが異なるケースが発生する無線通信システムであれば、本発明を適用可能である。
【０１３３】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１３４】
【図１】本発明の実施形態に係る無線通信システムの全体概略構成図である。
【図２】ＲｏＨＣの動作モードおよび圧縮状態を説明するための概念図である。
【図３】本発明の実施形態に係る無線基地局の概略構成を示す概略構成図である。
【図４】本発明の実施形態に係る無線端末の概略構成を示す概略構成図である。
【図５】本発明の実施形態に係る無線基地局および無線端末の機能ブロック構成図である（その１）。
【図６】本発明の実施形態に係る無線基地局および無線端末の機能ブロック構成図である（その２）。
【図７】本発明の実施形態に係る基地局探索処理を説明するための概念図である。
【図８】本発明の実施形態に係るハンドオーバ先基地局の動作を示すフローチャートである。
【図９】本発明の実施形態に係るハンドオーバ元基地局の動作を示すフローチャートである。
【符号の説明】
【０１３５】
ＦＡ…端末フィードバック情報、ＦＢ…基地局フィードバック情報、１Ａ，１Ｂ…無線基地局、２…無線端末、３…アクセスゲートウェイ、４…ネットワーク、１０…無線通信システム、１１Ａ，１１Ｂ…通信チャネル、１２Ａ，１２Ｂ…ＩＰトンネル、１１０…ＲＦ部、１２０…制御部、１３０…Ｉ／Ｆ部、１４０…記憶部、２１０…ＲＦ部、２２０…制御部、２３０…記憶部、２４０…表示部、２５０…操作部、２６０…マイク、２７０…スピーカ、２８０…音声コーデック部、３００Ａ，３００Ｂ…圧縮部、４００Ａ，４００Ｂ…復号部、５００…基地局特定部
【図１】
2009267843.tif 000003
【図２】
2009267843.tif 000004
【図３】
2009267843.tif 000005
【図４】
2009267843.tif 000006
【図５】
2009267843.tif 000007
【図６】
2009267843.tif 000008
【図７】
2009267843.tif 000009
【図８】
2009267843.tif 000010
【図９】
2009267843.tif 000011